(57)【要約】【課題】空気調和装置の室内機の内部部品を吸引作用により清掃する清掃機構において、吸引された塵埃をまとめる。【解決手段】プレフィルタ清掃装置６０は、空気調和装置１００の室内機１の内側に収容され、室内機１のプレフィルタ３０の清掃を行う清掃機構であって、清掃装置本体６５と塵埃捕集フィルタ６２とを備えている。清掃装置本体６５は、装置ケーシング６１と吸排気ファン６４とを有する。装置ケーシング６１には吸入口６１ａと排気口６１ｂとが形成されている。吸排気ファン６４は、装置ケーシング６１の内側に配置され、装置ケーシング６１の吸入口６１ａから吸入され排気口６１ｂから吹き出される空気流を生成する。塵埃捕集フィルタ６２は、排気口６１ｂよりも空気流の上流側に配置され、プレフィルタ３０から剥離した塵埃を捕集する。【選択図】図３
2009019813.tif 000002
【特許請求の範囲】
【請求項１】
空気調和装置の室内機（１，２０１，３０１，４０１）の内側に収容され内部部品（１０，３０，２１０，２３０，３１０，３３０，４３０）の清掃を行う清掃機構であって、
吸入口（６１ａ，４６１ａ，５６１ａ，６６１ａ，７６１ａ）と排気口（６１ｂ，５６１ｂ，６６１ｂ）とが形成されている吸排気部（６１）と、前記吸排気部（６１）の内側に配置され前記吸入口（６１ａ，４６１ａ，５６１ａ）から吸入され前記排気口（６１ｂ，５６１ｂ）から排気される第１空気流を生成するファン（６４，６６４）とを有する吸排気装置（６５）と、
前記排気口（６１ｂ）よりも前記第１空気流の上流側に配置され、前記内部部品（１０，３０，２１０，２３０，３１０，３３０，４３０）から剥離した塵埃を捕集する塵埃捕集部（６２，１６２，６６２，７６２）と、
を備える清掃機構（６０，１６０，２６０，３６０，４６０，５６０，６６０，７６０）。
【請求項２】
前記塵埃捕集部（６２，６６２）が捕集した塵埃を前記塵埃捕集部（６２，７６２）から除去する塵埃除去部（７０，７７０）を更に備える、
請求項１または２に記載の清掃機構（６０，１６０，２６０，３６０，４６０，７６０）。
【請求項３】
前記塵埃除去部（７０）は、前記集塵捕集部（６２）を振動させる加振部（７１）を有する、
請求項２に記載の清掃機構（６０，１６０，２６０，３６０，４６０，６６０，７６０）。
【請求項４】
前記塵埃除去部（７７０）は、前記排気口（７６１ｂ）から前記吸入口（７６１ａ）に向かう第２空気流を生成する第２空気流生成部（７８０）を有する、
請求項２または３に記載の清掃機構（７６０）。
【請求項５】
前記第２空気流生成部（７８０）は、排気ファン（７８１）を含む、
請求項４に記載の清掃機構（６６０）。
【請求項６】
前記ファン（６６４）は、前記排気口（６６１ｂ）から前記吸入口（６６１ａ）に向かう第３空気流を更に生成する、
請求項１から５のいずれかに記載の清掃機構（６６０）。
【請求項７】
前記塵埃捕集部（６２，７６２）が捕集した塵埃を溜める塵埃受け部（７２，７７２）を更に備える、
請求項２から６のいずれかに記載の清掃機構（６０，７６０）。
【請求項８】
前記塵埃捕集部（６２，６６２，７６２）は、通過する前記第１空気流中の塵埃を捕集するフィルタである、
請求項１から７のいずれかに記載の清掃機構（６０，１６０，２６０，３６０，４６０，６６０，７６０）。
【請求項９】
前記塵埃捕集部（１６２）は、旋回気流による遠心分離によって塵埃と空気とを分離させるサイクロン装置（８０）と、前記サイクロン装置（８０）によって分離された塵埃を溜める集塵貯溜部（８１）とを有する、
請求項１に記載の清掃機構（５６０）。
【請求項１０】
前記塵埃捕集部（６２，１６２，６６２，７６２）は前記吸入口（６１ａ，４６１ａ，５６１ａ，６６１ａ，７６１ａ）近傍に配置される、
請求項１から９のいずれかに記載の清掃機構（６０，１６０，２６０，３６０，４６０，５６０，６６０，７６０）。
【請求項１１】
前記吸入口（６１ａ，４６１ａ，５６１ａ，６６１ａ）に近設され、前記吸排気部（６１）から前記内部部品（１０，３０，２１０，２３０，３１０，３３０，４３０）、または、前記内部部品（１０，３０，２１０，２３０，３１０，３３０，４３０）の近傍まで延びている集塵補助部材（６６，６７）を更に備える、
請求項１から１０のいずれかに記載の清掃機構（６０，１６０，２６０，３６０，４６０，５６０，６６０，７６０）。
【請求項１２】
前記吸排気部（６１）の少なくとも一部は透水性材料からなる、
請求項１から１１のいずれかに記載の清掃機構（６０，１６０，２６０，３６０，４６０，５６０，６６０，７６０）。
【請求項１３】
前記吸排気部（６１）の内側に配置され、前記内部部品（１０，３０，２１０，２３０，３１０，３３０，４３０）から剥離した水分を捕捉する水分捕捉部（６３）を更に備える、
請求項１から１２のいずれかに記載の清掃機構（６０，１６０，２６０，３６０，４６０，５６０，６６０，７６０）。
【請求項１４】
前記吸排気部（６１）は、前記吸入口（６１ａ，４６１ａ，５６１ａ，６６１ａ）が形成されている先端ノズル（６５ａ，２６５ａ，４６５ａ，５６５ａ）と、前記排気口（６１ｂ，５６１ｂ，６６１ｂ）が形成されており前記ファン（６４，６６４）を収容するファン収納部（６５ｃ，５６５ｃ）とを含み、
少なくとも前記先端ノズル（６５ａ，２６５ａ，４６５ａ，５６５ａ）は前記内部部品（１０，３０，２３０，３３０，４３０，）近傍を移動可能である、
請求項１から１３のいずれかに記載の清掃機構（６０，１６０，２６０，３６０，４６０，５６０，６６０，７６０）。
【発明の詳細な説明】
【技術分野】
【０００１】
本発明は、空気調和装置の室内機の清掃機構に関する。
【背景技術】
【０００２】
従来の空気調和装置の室内機では、室内空気取込口と熱交換器との間にフィルタが配置されているものが多い。このフィルタは、室内空気取込口から取り込んだ室内の空気中の塵埃を除去することで、熱交換器が空気中に浮遊する塵埃によって汚染されることを防いでいる。しかしながら、この空気調和装置の室内機では、プレフィルタの表面に塵埃が付着し堆積することで通風抵抗が増大するおそれがあるため、プレフィルタに付着した塵埃を定期的に清掃する必要がある。
【０００３】
そこで、プレフィルタに付着した塵埃を清掃するために、プレフィルタを自動的に清掃する清掃機構を空気調和装置の室内機の内側に設けることが提案されている（例えば、特許文献１参照）。この清掃機構では、プレフィルタの表面に付着した塵埃を空気と共に吸引し、吸引した塵埃を空気と共に室外に排出する。これによって、プレフィルタに付着した塵埃を清掃している。
【特許文献１】特表２００５−０２６６２３号公報
【発明の開示】
【発明が解決しようとする課題】
【０００４】
しかしながら、特許文献１では、清掃機構において、プレフィルタから吸引された塵埃は、まとめられることなく、空気と共に室外へ排出されている。
【０００５】
本発明の課題は、空気調和装置の室内機の内部部品を吸引作用により清掃する清掃機構において、塵埃をまとめることができる清掃機構を提供することにある。
【課題を解決するための手段】
【０００６】
第１発明に係る清掃機構は、空気調和装置の室内機の内側に収容され、室内機の内部部品の清掃を行う清掃機構であって、吸排気装置と塵埃捕集部とを備えている。吸排気装置は、吸排気部とファンとを有する。吸排気部には吸入口と排気口とが形成されている。ファンは、吸排気部の内側に配置され、吸排気部の吸入口から吸入され排気口から吹き出される第１空気流を生成する。塵埃捕集部は、排気口よりも第１空気流の上流側に配置され、内部部品から剥離した塵埃を捕集する。
【０００７】
従来の清掃機構では、空気調和装置の室内機の内部部品に付着した塵埃を取り除くために、塵埃を空気と共に吸引し、吸引した塵埃を空気と共に室外へ排気している。
【０００８】
これに対して、第１発明に係る清掃機構は、塵埃を捕集する塵埃捕集部を備えている。このため、内部部品から空気と共に吸引した塵埃を捕集することができる。
【０００９】
これによって、内部部品から剥離した塵埃をまとめることができる。
【００１０】
なお、ここでいう第１空気流は吸排気部の吸入口から外側から吸排気部の排気口の外側までの空気の流れであり、塵埃捕集部は吸入口の外側に設けられていてもよい。
【００１１】
第２発明に係る清掃機構は、第１発明の清掃機構であって、塵埃捕集部が捕集した塵埃を塵埃捕集部から除去する塵埃除去部を更に備えている。これによって、内部部品から捕集した塵埃を除去することができる。
【００１２】
第３発明に係る清掃機構は、第２発明の清掃機構であって、塵埃除去部は加振部を有する。加振部は塵埃捕集部を振動させる。このため、清掃作業者が塵埃捕集部を室内機の内側から取り出すことなく、塵埃捕集部から塵埃を取り除くことができる。
【００１３】
これによって、塵埃捕集部の塵埃除去に要する労力を減らすことができる。
【００１４】
第４発明に係る清掃機構は、第２発明または第３発明の清掃機構であって、塵埃除去部は第２空気流生成部を有する。第２空気流生成部は、排気口から吸入口に向かう第２空気流を生成する。このため、第２空気流によって、塵埃捕集部に捕集されている塵埃を塵埃捕集部から剥離させることができる。したがって、清掃作業者が塵埃捕集部を室内機の内側から取り出すことなく、塵埃捕集部から塵埃を取り除くことができる。
【００１５】
これによって、塵埃捕集部の塵埃除去に要する労力を減らすことができる。
【００１６】
第５発明に係る清掃機構は、第４発明の清掃機構であって、第２空気流生成部は、排気ファンを含む。このため、排気ファンによって生成される第２空気流によって、塵埃捕集部に捕集されている塵埃が塵埃捕集部から剥離される。
【００１７】
これによって、この清掃機構では、簡易な構成によって塵埃受け部から塵埃を取り除くことができる。
【００１８】
第６発明に係る清掃機構は、第１発明から第５発明のいずれかの清掃機構であって、ファンは、排気口から吸入口に向かう第３空気流を更に生成する。このため、ファンによって生成される第３空気流によって、塵埃捕集部に捕集されている塵埃が塵埃捕集部から剥離される。したがって、清掃作業者が塵埃捕集部を室内機の内側から取り出すことなく、塵埃捕集部から塵埃を取り除くことができる。
【００１９】
これによって、塵埃捕集部の塵埃除去に要する労力を減らすことができる。
【００２０】
第７発明に係る清掃機構は、第２発明から第６発明のいずれかの清掃機構であって、塵埃受け部を更に備えている。塵埃受け部には、塵埃捕集部が捕集した塵埃が溜められる。このため、塵埃捕集部から取り除かれた塵埃を塵埃受け部に溜めることができる。
【００２１】
これによって、塵埃捕集部の塵埃除去に要する労力を更に減らすことができる。
【００２２】
第８発明に係る清掃機構は、第１発明から第７発明のいずれかの清掃機構であって、塵埃捕集部は、通過する第１空気流中の塵埃を捕集するフィルタである。このため、内部部品から剥離した塵埃を捕集することができる。
【００２３】
第９発明に係る清掃機構は、第１発明の清掃機構であって、塵埃捕集部はサイクロン装置と集塵貯溜部とを有する。サイクロン装置は、旋回気流による遠心分離によって塵埃と空気とを分離させる。集塵貯溜部は、サイクロン装置によって分離された塵埃を溜める。
【００２４】
第９発明に係る清掃機構では、塵埃捕集部はサイクロン装置と集塵貯溜部とを有している。このため、サイクロン装置で分離された塵埃を集塵貯溜部に溜めることができる。
【００２５】
これによって、内部部品から剥離した塵埃を捕集することができる。
【００２６】
第１０発明に係る清掃機構は、第１発明から第９発明のいずれかの清掃機構であって、塵埃捕集部は吸入口の近傍に配置される。
【００２７】
第１０発明に係る清掃機構では、塵埃捕集部が吸排気部の吸入口近傍に配置されている。このため、内部部品から剥離した塵埃は、第１空気流の上流側で捕集される。
【００２８】
これによって、吸排気部の内側に塵埃を付着させにくくすることができる。
【００２９】
なお、塵埃除去部は、塵埃捕集部から除去した塵埃を吸排気部の吸入口から取り出す。このため、塵埃除去部を備えている場合、塵埃捕集部が吸入口近傍に配置されることで、塵埃除去部によって塵埃捕集部から塵埃を除去しやすくすることができる。
【００３０】
第１１発明に係る清掃機構は、第１発明から第１０発明のいずれかの清掃機構であって、集塵補助部材を更に備えている。集塵補助部材は吸入口に近設されている。また、集塵補助部材は、吸排気部から内部部品まで、または、吸排気部から内部部品の近傍まで延びている。
【００３１】
第１１発明に係る清掃機構では、集塵補助部材が吸入口近傍に配置されている。このため、集塵補助部材は、少なくとも内部部品に付着している塵埃に接触する。したがって、内部部品に付着した塵埃が剥離しやすくなり、剥離した塵埃を吸入口から吸引することができる。
【００３２】
これによって、内部部品からより多くの塵埃を除去することができる。
【００３３】
なお、集塵補助部材が吸排気部から内部部品の近傍まで延びている場合、吸排気部と内部部品との間には所定の間隔が設けられている。このため、吸排気部の接触によって内部部品が破損するおそれを少なくすることができる。
【００３４】
第１２発明に係る清掃機構は、第１発明から第１１発明の清掃機構であって、吸排気部の少なくとも一部は透水性材料からなる。このため、吸入口から吸排気装置の内側へ吸引された水分を吸排気装置の外側へ排出することができる。
【００３５】
これによって、吸排気装置の内側に水分を溜まりにくくすることができる。
【００３６】
第１３発明に係る清掃機構は、第１発明から第１２発明の清掃機構であって、水分捕捉部を更に備える。水分捕捉部は、吸排気部の内側に配置され、内部部品から剥離した水分を捕捉する。
【００３７】
第１３発明の清掃機構では、吸排気部の内側に水分捕捉部が配置されている。このため、吸入口から吸排気部の内部空間に吸引された水分を捕捉することができる。
【００３８】
これによって、排気中に水分が混入する可能性を減らすことができる。
【００３９】
第１４発明の清掃機構は、第１発明から第１３発明のいずれかの清掃機構であって、吸排気部は、先端ノズルとファン収納部とを含む。先端ノズルには吸入口が形成されている。ファン収納部には、排気口が形成されており、内側にファンが収容されている。また、少なくとも先端ノズルは内部部品近傍を移動可能である。このため、少なくとも先端ノズルを移動させることによって、内部部品に付着した塵埃を取り除くことができる。
【発明の効果】
【００４０】
第１発明に係る清掃機構では、内部部品から剥離した塵埃をまとめることができる。
【００４１】
第２発明に係る清掃機構では、内部部品から捕集した塵埃を除去することができる。
【００４２】
第３発明に係る清掃機構では、塵埃捕集部の塵埃除去に要する労力を減らすことができる。
【００４３】
第４発明に係る清掃機構では、塵埃捕集部の塵埃除去に要する労力を減らすことができる。
【００４４】
第５発明に係る清掃機構では、この清掃機構では、簡易な構成によって塵埃受け部から塵埃を取り除くことができる。
【００４５】
第６発明に係る清掃機構では、塵埃捕集部の塵埃除去に要する労力を減らすことができる。
【００４６】
第７発明に係る清掃機構では、塵埃捕集部の塵埃除去に要する労力を更に減らすことができる。
【００４７】
第８発明に係る清掃機構では、塵埃捕集部を清掃する労力を減らすことができる。
【００４８】
第９発明に係る清掃機構では、内部部品から剥離した塵埃を捕集することができる。
【００４９】
第１０発明に係る清掃機構では、内部部品から剥離した塵埃を捕集することができる。
【００５０】
第１１発明に係る清掃機構では、吸排気部の内側に塵埃を付着させにくくすることができる。
【００５１】
第１２発明に係る清掃機構では、内部部品からより多くの塵埃を除去することができる。
【００５２】
第１３発明に係る清掃機構では、吸排気装置の内側に水分を溜まりにくくすることができる。
【００５３】
第１４発明に係る清掃機構では、少排気中に水分が混入する可能性を減らすことができる。なくとも先端ノズルを移動させることによって、内部部品に付着した塵埃を取り除くことができる。
【発明を実施するための最良の形態】
【００５４】
＜空気調和装置の外観＞
本発明の一実施形態に係るプレフィルタ清掃装置６０を備える空気調和装置１００の室内機１を図１および図３に示す。この空気調和装置１００は、室内の壁面に取り付けられる壁掛け型の室内機１と、室外に設置される室外機３とを備えている。
【００５５】
室内機１内には、図２および図３に示すように、室内熱交換器１０が収容され、室外機３内には室外熱交換器２０が収容されており、各熱交換器１０，２０が冷媒配管により接続されることにより冷媒回路を構成している。
【００５６】
＜空気調和機の冷媒回路の構成概略＞
空気調和装置１００の冷媒回路の構成を図２に示す。この冷媒回路は、主として室内熱交換器１０、アキュムレータ２１、圧縮機２２、四路切換弁２３、室外熱交換器２０および電動膨張弁２４で構成される。
【００５７】
室内機１に設けられている室内熱交換器１０は、接触する室内の空気との間で熱交換を行う。また、室内機１には、室内の空気を吸い込んで室内熱交換器に通し熱交換が行われた後の空気を室内に排出するための送風ファン１１が設けられている。室内機１の詳細な構成については後に説明する。
【００５８】
室外機３には、圧縮機２２と、圧縮機２２の吐出側に接続される四路切換弁２３と、圧縮機２２の吸入側に接続されるアキュムレータ２１と、四路切換弁２３に接続される室外熱交換器２０と、室外熱交換器２０に接続された電動膨張弁２４とが設けられている。電動膨張弁２４は、液閉鎖弁２６を介して液連絡配管２６ａに接続されており、この液連絡配管２６ａを介して室内熱交換器１０の一端と接続されている。また、四路切換弁２３は、ガス閉鎖弁２７を介してガス連絡配管２７ａに接続されており、このガス連絡配管２７ａを介して室内熱交換器１０の他端と接続されている。また、室外機３には、室外熱交換器２０での熱交換後の空気を外部に排出するためのプロペラファン２８が設けられている。このプロペラファン２８は、室外ファンモータ２９によって回転駆動される。
【００５９】
＜室内機の構成＞
空気調和装置１００の室内機１は、図１に示すように、正面視において、水平方向に長い略直方体形状を有している。また、室内機１は、図３に示すように、主として、本体ケーシング２と、室内熱交換器１０と、送風ファン１１と、プレフィルタ３０と、ダストボックス７２と、プレフィルタ清掃装置６０とを備えている。
【００６０】
本体ケーシング２は、上述のプレフィルタ３０、送風ファン１１、室内熱交換器１０およびプレフィルタ清掃装置６０等を内部に収容する。本体ケーシング２には、図１および図３に示すように、空調のための室内空気取込口６ａ、室内空気吹出口７ａが形成されている。室内空気取込口６ａは、本体ケーシング２の上部に設けられており、室内の空気を本体ケーシング２の内部に取り込む。室内空気吹出口７ａの近傍には、水平フラップ７ｂが設けられている。水平フラップ７ｂは、室内機１の長手方向に長い形状を有する板状の部材であり、室内空気吹出口７ａから吹き出される空気を案内する。また、水平フラップ７ｂは、室内機１の長手方向に平行な回転軸を有しており、回転軸を中心に回転することにより、空気の案内方向を変更する。これによって、室内機１内に取り込まれた空気が、熱交換によって調和され室内空気吹出口７ａを通じて再び室内に戻される。
【００６１】
また、図３に示すように、室内熱交換器１０の下方には、熱交換時に室内熱交換器１０の表面に発生する水滴を受け取るためのドレンパン７ｃが設けられている。このドレンパン７ｃには、受け取った水滴を外部に排出するためのドレンホース（図示せず）が取り付けられている。冷房運転時には、室内熱交換器１０が蒸発器として作用するため、室内熱交換器１０と接触する空気に含まれる水分が凝縮して水滴となって滴下する（以下、この水滴をドレン水という）。ドレンパン７ｃは、このドレン水を受け取ってドレンホースから室外に排出するように構成されている。
【００６２】
室内熱交換器１０は、送風ファン１１の前方、上方および後方を取り囲むように取り付けられており、略逆Ｖ字型の形状を有している。そして、送風ファン１１が回転することにより室内空気取込口６ａから吸入された空気を送風ファン１１側に通過させ、その空気を伝熱管の内部を通過する冷媒との間で熱交換を行わせる。
【００６３】
送風ファン１１は、長細い円筒形状に構成され、中心軸が水平方向になるように配置されているクロスフローファンである。送風ファン１１の外周面には羽根が設けられており、送風ファン１１が中心軸周りに回転することにより、空気流を生成する。この空気流は、室内空気取込口６ａから取り入れられ室内熱交換器１０を通り室内空気吹出口７ａから室内へと吹き出す空気の流れである。送風ファン１１は、側面視において、室内機１の概ね中央に位置している。
【００６４】
プレフィルタ３０は、図３に示すように、室内熱交換器１０の前面側（空気流の上流側）のほぼ全域を覆うように配置されており、室内熱交換器１０に向かって流入してくる空気に含まれる塵埃を除去している。さらに、プレフィルタ３０は、図４に示すように、フィルタ部３１と支持枠３２とを有する。フィルタ部３１は、空気中の塵埃を除去する。また、支持枠３２は、フィルタ部３１の上下端、左右端および中央部を支える。なお、ここでいう「左右」は、プレフィルタ３０が室内機１に備えられた状態での正面視における左右を意味している。
【００６５】
ダストボックス７２は、図８に示すように、集塵フィルタ部６２ａから振るい落とされた塵埃を溜めるための容器である。ダストボックス７２は、図３に示すように、上面が開口した箱状の形態をしており、プレフィルタ３０の下方に設けられている。
【００６６】
以下、プレフィルタ清掃装置６０に関連する部材について説明する。
【００６７】
＜プレフィルタ清掃装置＞
プレフィルタ清掃装置６０は、図３、図４および図５に示すように、プレフィルタ３０に付着した塵埃を自動的に清掃する機構であり、本体ケーシング２の内側に配置されている。また、プレフィルタ清掃装置６０は、清掃装置本体６５、塵埃捕集フィルタ６２および塵埃除去装置７０を有している。以下、清掃装置本体６５、塵埃捕集フィルタ６２および塵埃除去装置７０について説明する。
【００６８】
〈清掃装置本体〉
清掃装置本体６５は、図５および図６に示すように、装置ケーシング６１、パット部材６７、エリミネータ６３および吸排気ファン６４を含む。装置ケーシング６１は、吸い込みノズル６５ａ、吸い込みダクト６５ｂ、およびファンケーシング６５ｃから構成されている。
【００６９】
〔吸い込みノズル〕
吸い込みノズル６５ａは、図４に示すように、プレフィルタ３０の風上側表面に配置されており、正面視において、プレフィルタ３０の長手方向に平行な略直方体の形状を有している。また、図５および図６に示すように、吸い込みノズル６５ａには、吸い込みノズル６５ａの内部空間と吸い込みノズル６５ａの外部空間とを連通させる吸入口６１ａが形成されている。吸入口６１ａは、吸い込みノズル６５ａにおいてプレフィルタ３０の風上側表面に臨む面（以下、この面を対向面という）に形成されており、その平面視において、対向面の短手方向の略中央付近部分が略長方形状に切り欠かれるように形成されている開口である。
【００７０】
また、吸い込みノズル６５ａは、プレフィルタ３０の風上側の面をプレフィルタ３０の短手方向に沿って移動可能である。さらに、吸い込みノズル６５ａには回転軸が設けられており、この回転軸を中心として９０度回転することで吸い込みノズル６５ａの対向面とダストボックス７２の開口とが対向する（図３参照）。
【００７１】
さらに、吸い込みノズル６５ａは透水性を有する多孔体によって構成されている。
【００７２】
〔吸い込みダクト〕
吸い込みダクト６５ｂは、図４および図５に示すように、吸い込みノズル６５ａの内部空間とファンケーシング６５ｃの内部空間とを連通させるために接続されるチューブ部材であって、吸い込みノズル６５ａの吸入口６１ａから吸い込みノズル６５ａの内部空間に吸い込んだ空気をファンケーシング６５ｃの内部空間に流す。また、吸い込みダクト６５ｂは、一部が屈曲することによって、吸い込みノズル６５ａがプレフィルタ３０の表面上を移動して吸い込みノズル６５ａの位置が変化した場合においても、ファンケーシング６５ｃへの空気流路を形成することができる。
【００７３】
〔ファンケーシング〕
ファンケーシング６５ｃは、図５に示すように、吸排気ファン６４を収容している。このファンケーシング６５ｃは、正面視において、右上方向に開口した排気口６１ｂと円弧状の壁面部６１ｃとを有している。
【００７４】
また、ファンケーシング６５ｃは、排気口６１ｂが本体ケーシング２の下側と対向するように本体ケーシング２の側面に固定されている。
【００７５】
〔パット部材〕
パット部材６７は、略長方形状のゴムであり、図６に示すように、吸入口６１ａ近傍に配備されている。パット部材６７は、プレフィルタ３０に接触してプレフィルタ３０から塵埃を浮き上がらせる。なお、本実施形態では、パット部材６７は、プレフィルタ３０に接触しているが、パット部材６７がプレフィルタ３０に接触することでプレフィルタ３０が破損するおそれがある場合、プレフィルタ３０に接触しなくてもよい。パット部材６７がプレフィルタ３０に接触しない場合、パット部材６７によって吸い込みノズル６５ａとプレフィルタ３０との間に所定の間隔が設けられている。この所定の間隔は、パット部材６７がプレフィルタ３０に付着している塵埃に接触することができるように設けられる。これによって、パット部材６７がプレフィルタ３０に接触した場合と同様にプレフィルタ３０に付着している塵埃を浮き上がらせる効果を得ることができ、かつ、吸い込みノズル６５ａが接触することによってプレフィルタ３０が破損するおそれを少なくすることができる。
【００７６】
〔エリミネータ〕
エリミネータ６３は、図５に示すように、円盤形状を有しており、その寸法が吸い込みダクト６５ｂの内径寸法と略同一である。また、エリミネータ６３は吸い込みダクト６５ｂの内部に配備されている。また、本実施形態では、エリミネータ６３は、吸い込みノズル６５ａと吸い込みダクト６５ｂとの接続部近傍に配置されている。
【００７７】
〔吸排気ファン〕
吸排気ファン６４は、吸排気モータ（図示せず）によって回転駆動されるシロッコファンである。吸排気ファン６４は、吸排気モータによって回転させられることで、吸入口６１ａから空気を取り込んで排気口６１ｂから空気を吹き出すように空気流を形成する。
【００７８】
〈塵埃捕集フィルタ〉
塵埃捕集フィルタ６２は、図５および図６に示すように、吸い込みノズル６５ａの内部に収容され、吸入口６１ａを覆うように配置されている。また、塵埃捕集フィルタ６２は、吸排気ファン６４の吸引動作により、吸入口６１ａから吸引したプレフィルタ３０の塵埃を捕集する集塵フィルタ部６２ａと、内側に集塵フィルタ部６２ａを配備するフィルタフレーム６２ｂとから構成される。
【００７９】
集塵フィルタ部６２ａは、表面が平滑で通気性のあるメッシュ状のステンレスからなり、図７に示すように、下面に開口が形成されている略直方体形状を有している。また、集塵フィルタ部６２ａの開口は、吸い込みノズル６５ａに形成されている吸入口６１ａの開口寸法と略同一寸法に形成されている。なお、集塵フィルタ部６２ａは、プレフィルタ３０から剥離した塵埃を捕集するため、プレフィルタ３０よりも目が細かいことが望ましい。
【００８０】
フィルタフレーム６２ｂは下面に開口が形成されている略直方体形状を有しており、フィルタフレーム６２ｂの側面および上面には空気通過孔６２ｃが形成されている。また、フィルタフレーム６２ｂは集塵フィルタ部６２ａを受容して支持している（図８（b）参照）。
【００８１】
〈塵埃除去装置〉
塵埃除去装置７０は、図３および図８に示すように、バイブレータ７１を有しており、塵埃捕集フィルタ６２に捕集された塵埃を自動的に除去する。
【００８２】
〔バイブレータ〕
バイブレータ７１は、図８に示すように、塵埃捕集フィルタ６２に近接して配置されており、本実施形態では、吸い込みノズル６５ａの内側に配置されている。バイブレータ７１は、塵埃捕集フィルタ６２近傍で振動することによって、塵埃捕集フィルタ６２を振動させる。このため、集塵フィルタ部６２ａに付着している塵埃が振るい落とされる。
【００８３】
〈プレフィルタ清掃装置の清掃動作〉
以下、プレフィルタ清掃装置６０におけるプレフィルタ３０の清掃動作ついて説明する。なお、本実施形態では、冷房運転および暖房運転等の通常運転が終了した後に、プレフィルタ清掃装置６０によってプレフィルタ３０を清掃する清掃運転が行われる場合を例にして説明する。また、通常運転および清掃運転は、制御部（図示せず）によって行われる。
【００８４】
プレフィルタ清掃装置６０において、吸排気モータを駆動させると、吸い込みノズル６５ａがプレフィルタ３０の風上側表面をプレフィルタ３０の短手方向に沿って移動し、プレフィルタ３０に付着した塵埃が空気と共に吸入口６１ａから吸い込まれる。そして、吸入口６１ａから吸い込まれた空気は、塵埃捕集フィルタ６２を介してフィルタフレーム６２ｂに形成されている空気通過孔６２ｃから吸い込みノズル６５ａの内部空間へと吸入される。吸い込みノズル６５ａの内部空間へと吸入された空気は、吸い込みダクト６５ｂを介してファンケーシング６５ｃの排気口６１ｂから排気される。なお、吸入口６１ａから吸い込まれた空気は、塵埃捕集フィルタ６２を通過する際に、空気中に含まれる塵埃が集塵フィルタ部６２ａによって捕集される。
【００８５】
また、吸い込みノズル６５ａが所定回数（例えば、４回等）上下方向に移動して塵埃の捕集動作を行ったとき、吸い込みノズル６５ａは、ダストボックス７２の上面の開口と吸い込みノズル６５ａの吸入口６１ａとが対向するように移動する。その後、バイブレータ７１が塵埃捕集フィルタ６２に振動を加える。したがって、塵埃捕集フィルタ６２に捕集されている塵埃がダストボックス７２に振るい落とされる。
【００８６】
このため、プレフィルタ３０に付着している塵埃を自動で捕集し、処理することができる。これによって、プレフィルタ３０の清掃作業を行う負担を軽減させることができる。なお、本実施形態では、通常運転完了後に清掃運転が行われているが、このプレフィルタ清掃装置６０は、制御部の判断により自動的に、または、外部からの指令により起動されてもよい。
【００８７】
＜特徴＞
（１）
従来のプレフィルタ清掃装置では、空気調和装置の室内機に内蔵されているプレフィルタの表面に付着した塵埃を取り除くために、プレフィルタに付着した塵埃を空気と共に吸引し、吸引した塵埃を空気と共に室外へ排出している。
【００８８】
これに対して、上記実施形態では、プレフィルタ３０から剥離した塵埃を捕集するための塵埃捕集フィルタ６２を備えている。このため、プレフィルタ３０から剥離した塵埃を捕集することができる。
【００８９】
これによって、プレフィルタ３０から剥離した塵埃をまとめることができている。
【００９０】
（２）
上記実施形態では、塵埃除去装置７０はバイブレータ７１を有している。このため、塵埃捕集フィルタ６２を本体ケーシング２の内側から取り出すことなく、自動的に塵埃捕集フィルタ６２から塵埃を取り除くことができる。
【００９１】
これによって、塵埃捕集フィルタ６２を清掃する労力を減らすことができる。
【００９２】
（３）
上記実施形態では、塵埃捕集フィルタ６２は吸い込みノズル６５ａの吸入口６１ａを覆うように配置されている。このため、プレフィルタ３０から剥離した塵埃は吸い込みノズル６５ａの内側で捕集される。したがって、空気流の下流に位置する吸い込みダクト６５ｂおよびファンケーシング６５ｃには、塵埃が捕集された後の空気が流れることになる。
【００９３】
これによって、吸い込みダクト６５ｂおよびファンケーシング６５ｃの内側に塵埃を付着させにくくすることができている。
【００９４】
また、本実施形態では、吸排気ファン６４はファンケーシング６５ｃに収容されているため、吸排気ファン６４に塵埃が付着して目詰まりすることで発生する吸排気ファン６４の機能低下を防ぐことができている。
【００９５】
（４）
上記実施形態では、吸い込みノズル６５ａの吸入口６１ａ近傍には、パット部材６７が配備されている。パット部材６７は、プレフィルタ３０に接触することで、プレフィルタ３０から塵埃を浮き上がらせることができる。このため、パット部材６７を配備していない場合と比較して、より多くの塵埃をプレフィルタ３０から剥離させることができている。
【００９６】
（５）
上記実施形態では、吸い込みノズル６５ａは透水性を有する多孔体から形成されている。このため、吸入口６１ａから吸い込みノズル６５ａの内部空間に吸引されたドレン水を清掃装置本体６５の外側に排出することができる。
【００９７】
これによって、清掃装置本体６５の内側に水分を溜まりにくくすることができている。
【００９８】
（６）
上記実施形態では、吸い込みダクト６５ｂの内側にエリミネータ６３が配備されている。このため、吸入口６１ａから清掃装置本体６５の内側に吸引されたドレン水を捕捉することができる。
【００９９】
これによって、排気中に水分が混入する可能性を減らすことができている。
【０１００】
（７）
上記実施形態では、吸い込みノズル６５ａは、プレフィルタ３０の風上側表面に沿って上下方向に移動可能である。このため、吸い込みノズル６５ａが移動することによって、内部部品に付着した塵埃を吸い込みノズル６５ａから吸引することができる。したがって、プレフィルタ３０の清掃を自動的に行うことができる。
【０１０１】
これによって、プレフィルタ３０に付着した塵埃の除去に要する労力を減らすことができている。
【０１０２】
＜変形例＞
（Ａ）
上記実施形態では、壁掛け型の室内機１に本発明が適用されているが、本発明は天井埋込型の室内機や床置き型などの室内機にも適用可能である。
【０１０３】
（Ｂ）
上記実施形態では、本発明が、プレフィルタ３０を清掃するプレフィルタ清掃装置６０として適用されているが、図９に示すように、室内熱交換器１１０を清掃する熱交換器清掃装置１６０として適用されてもよい。熱交換器清掃装置１６０によって、室内熱交換器１１０を清掃することで、プレフィルタ１３０によって取り除くことができなかった空気中の塵埃を除去することができる。これによって、塵埃が室内熱交換器１１０に付着することによって発生する熱交換能力の低下を防ぐことができる。
【０１０４】
また、図１０に示すように、本発明は、プレフィルタ２３０と室内熱交換器２１０とが隣接した状態で配置されている室内機２０１を清掃するプレフィルタ清掃装置２６０として適用することもできる。このプレフィルタ清掃装置２６０をプレフィルタ２３０の風上側に配置し、プレフィルタ清掃装置２６０の吸い込みノズル２６５ａでプレフィルタ２３０を室内熱交換器２１０に押さえつけることで、プレフィルタ２３０と室内熱交換器２１０の接触部分を清掃することができる。これによって、プレフィルタ２３０と室内熱交換器２１０とを同時に清掃することができる。
【０１０５】
さらに、図１１に示すように、本発明は、プレフィルタ３３０と室内熱交換器３１０とが接触した状態で配置されている室内機３０１を清掃するプレフィルタ清掃装置３６０として適用することもできる。この室内機３０１ではプレフィルタ３３０と室内熱交換器３１０とが接触しているため、プレフィルタ清掃装置３６０をプレフィルタ３３０の風上側に配置することで、プレフィルタ３３０と室内熱交換器３１０とを同時に清掃することができる。
【０１０６】
（Ｃ）
上記実施形態では、パット部材６７にはゴムが適用されているが、ゴム以外の弾性を有する部材（例えばスポンジ等）、または、樹脂等からなる複数の線材を有するブラシ状部材が適用されてもよい。なお、パット部材６７に適用される部材には清掃対象物に適した部材が用いられることが望ましい。例えば、パット部材にブラシ状部材を適用したブラシ状パット部材６６は、室内熱交換器を構成する複数のフィンの表面に付着している塵埃を浮き上がらせることができるため、変形例（Ｂ）のような、室内熱交換器１１０を清掃する場合に有効となる（図９参照）。また、このとき、吸い込みノズル１６５ａは室内熱交換器１１０の短手方向に沿って移動することが望ましい。
【０１０７】
さらに、図１２に示すように、ゴムが適用されているパット部材６７とブラシ状パット部材６６とを併用することで、更に塵埃を剥離させる効果を向上させることができる。
【０１０８】
（Ｄ）
上記実施形態では、塵埃捕集フィルタ６２は、吸い込みノズル６５ａの吸入口６１ａを覆うように配置されているが、吸入口６１ａから吸い込まれたすべての空気が通過するように配置されるのであれば、吸い込みノズル６５ａだけでなく、吸い込みダクト６５ｂまたはファンケーシング６５ｃの内側に設けられていてもよい。しかし、吸い込まれた塵埃が吸排気ファン６４に付着することを防止するために、塵埃捕集フィルタ６２は吸い込みノズル６５ａまたは吸い込みダクト６５ｂの内側に配置されることが好ましい。
【０１０９】
（Ｅ）
上記実施形態では、室内熱交換器１０から発生するドレン水を清掃装置本体６５に溜まり難くするために、吸い込みノズル６５ａが透水性を有する多孔体で構成されている。しかし、透水性を有すれば、吸い込みノズル６５ａを構成する材料として、紙（和紙等）、不折布および布が適応されてもよい。
【０１１０】
また、上記実施形態では、吸い込みノズル６５ａ全体が透水性を有しているが、吸い込みノズル６５ａの少なくとも一部が透水性を有していればよい。さらに、透水性の部分が吸い込みノズル６５ａ以外に、吸い込みダクト６５ｂまたはファンケーシング６５ｃに設けられていてもよい。
【０１１１】
（Ｆ）
上記実施形態では、塵埃捕集フィルタ６２で捕集した塵埃を処理するためにダストボックス７２が設けられている。しかし、ダストボックス７２の代わりにドレンパン７ｃに塵埃を振るい落とし、塵埃をドレン水で流すことで屋外に排出してもよい。これによって、ダストボックス７２に溜まった塵埃の処理をする労力を軽減させることができる。
【０１１２】
（Ｇ）
上記実施形態では、吸い込みノズル６５ａが移動することによってプレフィルタ３０に付着した塵埃を清掃しているが、上下方向に移動可能なプレフィルタ４３０を備える室内機４０１に適用する場合には、吸い込みノズル４６５ａをプレフィルタ４３０の表面に固定したままの状態にすることができる。この場合、図１３に示すように、プレフィルタ清掃装置４６０の有する吸い込みノズル４６５ａは、吸入口４６１ａが形成されている対向面がプレフィルタ４３０の風上側表面に対向するように、プレフィルタ４３０の下方に固定されている。これによって、吸い込みノズル４６５ａを移動させることなく、プレフィルタ４３０の表面のほぼ全域から塵埃を除去することができる。
【０１１３】
（Ｈ）
上記実施形態では、ファンケーシング６５ｃは、室内機１の本体ケーシング２に固定されている。しかし、吸い込みノズル６５ａの内部空間とファンケーシング６５ｃの内部空間とが連通するように吸い込みノズル６５ａとファンケーシング６５ｃとを直接接続し、ファンケーシング６５ｃを吸い込みノズル６５ａと共に移動させてもよい。この場合、吸い込みダクト６５ｂが設けられていないため、上記実施形態と比較して圧力損失を少なくすることができる。
【０１１４】
また、上記実施形態において室内機１の内側に設けられている吸い込みダクト６５ｂおよびファンケーシング６５ｃを室内機１の外側に設けてもよい。具体的には、ファンケーシング６５ｃは室外機３に固定され、室内機１の内側に配置されている吸い込みノズル６５ａとファンケーシング６５ｃとを接続するように吸い込みダクト６５ｂが配置される。このため、室内機１の内側には、吸い込みノズル６５ａおよび吸い込みダクト６５ｂの一部が配置されていることになる。したがって、上記実施形態に係る室内機１と比較して、室内機１のサイズを小さくすることができる。
【０１１５】
（Ｉ）
上記実施形態では、吸い込みノズル６５ａの移動方向は、プレフィルタ３０の風上側表面を沿うように上下に移動している。しかし、吸い込みノズル６５ａがプレフィルタ３０の風上側表面を沿うように左右に移動してもよい。
【０１１６】
また、吸い込みノズル６５ａのサイズを上記実施形態よりも小さく形成することで、吸い込みノズル６５ａをプレフィルタ３０の風上側表面に沿うように上下左右に移動させることができる。さらに、プレフィルタ３０の風上側表面を上下方向に移動可能な移動補助部材を設け、吸い込みノズル６５ａをこの移動補助部材に沿って左右方向に移動させてもよく、プレフィルタの風上側表面を左右方向に移動可能な移動補助部材を設けた場合には、吸い込みノズル６５ａをこの移動補助部材に沿って上下方向に移動させてもよい。
【０１１７】
（Ｊ）
上記実施形態では、塵埃捕集フィルタ６２に近接するようにバイブレータ７１が配置されているが、塵埃捕集フィルタ６２に接する位置にバイブレータ７１を配置してもよい。この場合も同様に、塵埃捕集フィルタ６２に溜まった塵埃を振るい落とすことができる。これらの配置は、各構成部品の配置や大きさ、バイブレータ７１の出力等に応じて適したものを選べばよい。
【０１１８】
また、バイブレータ７１の代わりに、超音波振動子が設けられてもよい。この場合、より効果的に塵埃捕集フィルタ６２から塵埃を振るい落とすことができる。
【０１１９】
さらに、吸い込みノズル６５ａの内側に吸入口６１ａから吸入されたドレン水を溜め、このドレン水を逆流させることによって塵埃捕集フィルタ６２で捕集された塵埃を除去してもよい。
【０１２０】
（Ｋ）
上記実施形態では、プレフィルタ３０に付着した塵埃の捕集が塵埃捕集フィルタ６２によって行われているが、図１４に示すように、旋回気流による遠心分離によって塵埃と空気とを分離させ、分離させた塵埃を溜めることができるサイクロン１６２が適用されてもよい。サイクロン１６２は、裁頭円錐形を有するサイクロン装置８０と、サイクロン装置８０に一体に形成されており、サイクロン装置８０によって分離された塵埃を溜める塵埃貯溜部８１とを有している。塵埃捕集フィルタ６２の代わりにサイクロン１６２を適用する場合、サイクロン装置８０を吸い込みノズル５６５ａの吸入口５６１ａ近傍に設置する。サイクロン１６２を適用したプレフィルタ清掃装置５６０において、吸排気モータを駆動させると、プレフィルタ３０に付着した塵埃が空気と共に吸い込みノズル５６５ａの吸入口５６１ａから吸い込まれる。そして、吸い込まれた塵埃を含む空気は、サイクロン装置８０の円周方向から渦を描くように空気流を形成する。この際、空気はサイクロン装置８０の円の中心から上方向に向かい、塵埃はサイクロン装置８０の壁面に衝突し、その後重力により落下して塵埃貯溜部８１に溜まる。このようにして、塵埃を含まない空気が吸い込みノズル５６５ａへと吸入される。吸い込みノズル５６５ａ内へと吸入された空気は、吸い込みダクト５６５ｂを通ってファンケーシング５６５ｃの排気口５６１ｂから排出される。したがって、塵埃捕集フィルタ６２を適用した場合と比較して、吸引した塵埃による吸引力の低下を防ぐことができる。
【０１２１】
なお、上記サイクロン１６２が適用された清掃装置では、通常運転時に限らず、清掃運転時のみに利用してもよい。清掃運転時のみに利用することで、通常運転時に送風ファンによって生成される空気流を阻害するおそれをなくすことができる。
【０１２２】
（Ｌ）
上記実施形態では、集塵フィルタ部６２ａにはメッシュ状のステンレスが適用されているが、平織りまたは綾織り等の可透性の布（例えば、不織布）、ステンレス以外の金属部材（例えば銅）および樹脂材料（例えば、ポリエチレンテレフタレート、ポリプロピレン、ナイロン等）が適用されてもよい。さらに、集塵フィルタ部６２ａの塵埃による目詰まりを防止するために、撥水処理または親水処理等の各種防汚染処理が施されてもよい。
【産業上の利用可能性】
【０１２３】
本発明は、塵埃をまとめることができるため、空気調和装置の室内機の内部部品を吸引作用により清掃する清掃機構への適用が有用である。
【０１２４】
（Ｍ）
上記実施形態では、バイブレータ７１が塵埃捕集フィルタ６２に振動を加えることで塵埃捕集フィルタ６２に溜まった塵埃を振るい落としている。しかしながら、吸排気ファン６６４を逆回転させることによって塵埃捕集フィルタ６６２に溜まった塵埃が除去されてもよい。この清掃装置６６０では、図１５に示すように、吸排気ファン６６４を逆回転させることによって、排気口６６１ｂから空気が取り込まれ吸入口６６１ａから空気が吹き出されるように空気流が形成される。これによって、塵埃捕集フィルタ６６２に溜まった塵埃を除去することができる。
【０１２５】
また、図１６に示すように、室内の空気を室外に排気する排気ファン７８１を収容する排気ダクト７８０を有する排気装置７７０を備える空気調和装置の場合、清掃装置７６０の吸い込みノズル７６５ａの吸入口７６１ａを排気装置７７０の有する吸い込み口７８２ａの近傍に移動させることで、排気口（図示せず）から空気が取り込まれ吸入口７６１ａから空気が吹き出されるように空気流が形成される。これによって、塵埃捕集フィルタ７６２に溜まった塵埃を除去することができる。さらに、図１７に示すように、この空気調和装置が排気装置７７０の有する吸い込み口７８２ｂと接続可能なダストボックス７７２を備えている場合には、吸い込みノズル７６５ａの吸入口７６１ａをダストボックス７７２近傍に移動させ、排気ファン７８１を起動させることで、排気口（図示せず）から空気が取り込まれ吸入口７６１ａから空気が吹き出されるように空気流が形成される。これによって、塵埃捕集フィルタ７６２に溜まった塵埃が除去されてもよい。
【０１２６】
塵埃捕集フィルタ６６２，７６２に溜まった塵埃を除去するために吸排気ファン６６４、または、排気ファン７８１を利用することで、バイブレータ７１が不要となり、部品点数を削減することができる。
【０１２７】
また、バイブレータ７１、吸排気ファン６６４および排気ファン７８１を併用することによって、塵埃捕集フィルタから塵埃を除去する効率を向上させることができる。
【図面の簡単な説明】
【０１２８】
【図１】本発明の実施形態に係るプレフィルタ清掃機構を備える空気調和装置の外観斜視図。
【図２】本発明の実施形態に係るプレフィルタ清掃装置を備える空気調和装置の冷媒回路図。
【図３】本発明の実施形態に係るプレフィルタ清掃装置を備える空気調和装置の室内機の縦断面図（図１のIII−IIIに相当）。
【図４】本発明の実施形態に係るプレフィルタ清掃装置およびプレフィルタの概略斜視図。
【図５】本発明の実施形態に係るプレフィルタ清掃装置本体の概念図。
【図６】（ａ）吸い込みノズルの縦断面図，（ｂ）吸い込みノズルをプレフィルタ側から見た概略平面図。
【図７】（ａ）塵埃捕集フィルタの分解斜視図，（ｂ）塵埃捕集フィルタの概略斜視図。
【図８】吸い込みノズルおよび塵埃除去装置の縦断面図。
【図９】本発明の変形例（Ｂ）に係る空気調和装置の室内機の縦断面図。
【図１０】本発明の変形例（Ｂ）に係る空気調和装置の室内機の縦断面図。
【図１１】本発明の変形例（Ｂ）に係る空気調和装置の室内機の縦断面図。
【図１２】（ａ）本発明の変形例（Ｃ）に係るプレフィルタ清掃装置の吸い込みノズルの縦断面図，（ｂ）吸い込みノズルをプレフィルタ側から見た概略平面図。
【図１３】本発明の変形例（Ｇ）に係るプレフィルタ清掃装置を備える空気調和装置の室内機の縦断面図。
【図１４】本発明の変形例（Ｋ）に係るプレフィルタ清掃装置本体の概念図。
【図１５】（ａ）本発明の変形例（Ｍ）に係るプレフィルタ清掃装置の概念図，（ｂ）吸い込みノズルの縦断面図。
【図１６】本発明の変形例（M）に係るプレフィルタ清掃装置の概念図。
【図１７】本発明の変形例（M）に係るプレフィルタ清掃装置の概念図。
【符号の説明】
【０１２９】
１，２０１，３０１，４０１，  室内機
１０，２１０，３１０，  室内熱交換器（内部部品）
３０，２３０，３３０，４３０，  プレフィルタ（内部部品）
６０，２６０，３６０，４６０，５６０，６６０，７６０  プレフィルタ清掃装置（清掃機構）
１６０    熱交換器清掃装置（清掃機構）
６１    装置ケーシング（吸排気部）
６１ａ，４６１ａ，５６１ａ，６６１ａ，７６１ａ  吸入口
６１ｂ，５６１ｂ，６６１ｂ，７６１ｂ  排気口
６２，６６２  塵埃捕集フィルタ（塵埃捕集部）
６３    エリミネータ（水分捕捉部）
６４，６６４  吸排気ファン（ファン）
６５    清掃装置本体（吸排気装置）
６５ａ，２６５ａ，４６５ａ，５６５ａ  吸い込みノズル（先端ノズル）
６５ｃ，５６５ｃ  ファンケーシング（ファン収納部）
６６    ブラシ部（集塵補助部材）
６７    パット部（集塵補助部材）
７０    塵埃除去装置（塵埃除去部）
７１    バイブレータ（加振部）
７２，７７２  ダストボックス（塵埃受け部）
８０    サイクロン装置
８１    塵埃貯溜部
１６２  サイクロン（塵埃捕集部）
７７０    排気装置（塵埃除去部）
７８０    排気ダクト（第２空気流生成部）
７８１    排気ファン
【図１】
2009019813.tif 000003
【図２】
2009019813.tif 000004
【図３】
2009019813.tif 000005
【図４】
2009019813.tif 000006
【図５】
2009019813.tif 000007
【図６】
2009019813.tif 000008
【図７】
2009019813.tif 000009
【図８】
2009019813.tif 000010
【図９】
2009019813.tif 000011
【図１０】
2009019813.tif 000012
【図１１】
2009019813.tif 000013
【図１２】
2009019813.tif 000014
【図１３】
2009019813.tif 000015
【図１４】
2009019813.tif 000016
【図１５】
2009019813.tif 000017
【図１６】
2009019813.tif 000018
【図１７】
2009019813.tif 000019